(57)【要約】【課題】バルトリン管膿瘍の治療のための施術の面で有利であるうえ、患者の負担を減らすことができる排膿管を提供する。【解決手段】本発明は、第１端部、第２端部、および該両端部の間の排膿通路を有し、バルトリン管膿瘍の患部に切開部を介して前記第１端部が挿入される導管部材と、第１端部側の外周に設けられ、患部に挿入された導管部材が分離されることを防止する第１翼部材と、第２端部側の外周に設けられ、前記患部に対する導管部材の挿入深さを制限する第２翼部材とを含んで構成されることにより、切開部（施術部位）が癒える間に患部から膿などが円滑に排出されるようにし、切開部が癒えて施術部位に導管部材の外周に対応する排液孔が形成された後には施術部位から除去される、排膿管を提供する。【選択図】図４
2016013436.tif 000002
【特許請求の範囲】
【請求項１】
第１端部、第２端部、および前記第１端部と前記第２端部との間の排膿通路を有し、バルトリン管膿瘍の患部に、前記患部を切開した切開部を介して前記第１端部が挿入される導管部材と；
前記第１端部側から前記導管部材の外周側へ突出し、前記患部に挿入された導管部材が分離されることを防止する第１翼部材と；
前記第２端部側から前記導管部材の外周側へ突出し、前記患部に対する導管部材の挿入深さを制限する第２翼部材と；を含んでなることを特徴とする、排膿管。
【請求項２】
前記第１翼部材と前記第２翼部材は、前記導管部材の外周方向に沿って設けられ、枠構造を有することを特徴とする、請求項１に記載の排膿管。
【請求項３】
前記第１翼部材および前記第２翼部材のうちの少なくとも前記第１翼部材は、一定の弾性を有する材質からなることを特徴とする、請求項１または２に記載の排膿管。
【請求項４】
前記導管部材、前記第１翼部材および前記第２翼部材は一体型であることを特徴とする、請求項１に記載の排膿管。
【請求項５】
第１端部、第２端部、および前記第１端部と前記第２端部との間の排膿通路を有し、バルトリン管膿瘍の患部に、前記患部を切開した切開部を介して前記第１端部が挿入される導管部材と；
前記第１端部側から前記導管部材の外周側へ突出し、前記患部に挿入された導管部材が分離されることを防止する翼部材と；を含んでなることを特徴とする、排膿管。
【請求項６】
第１端部、第２端部、および前記第１端部と前記第２端部との間の排膿通路を有し、バルトリン管膿瘍の患部に、前記患部を切開した切開部を介して前記第１端部が挿入される導管部材と；
前記第２端部側から前記導管部材の外周側へ突出し、前記患部に対する導管部材の挿入深さを制限する翼部材と；を含んでなることを特徴とする、排膿管。
【発明の詳細な説明】
【技術分野】
【０００１】
本発明は、女性のバルトリン管（Ｂａｒｔｈｏｌｉｎ’ｓ  ｄｕｃｔ）に発生したバルトリン管膿瘍（以下、バルトリン膿瘍ともいう。）を治療するために用いられる排膿管に関する。
【背景技術】
【０００２】
バルトリン管膿瘍は、女性によく現れる疾患であり、女性の膣の入り口側に位置したバルトリン腺（Ｂａｒｔｈｏｌｉｎ’ｓ  ｇｌａｎｄ）から分泌される粘液を排出するバルトリン管に炎症や損傷などが発生して膿瘍（膿の袋）が形成されることによりバルトリン管が大きくなったものであり、バルトリン管が詰まると、直径３〜５ｃｍまでにも大きくなる。
【０００３】
一般に、このようなバルトリン管膿瘍に対しては造袋術や切除術を用いて治療を行っている。バルトリン管膿瘍造袋術は、バルトリン管膿瘍から膿が流れ出てくるように出口としての排液孔を作ってあげる施術である。バルトリン管膿瘍切除術は、主に造袋術を施行したにも拘わらず再発した場合に行うもので、バルトリン管膿瘍をすべて除去する施術である。
【０００４】
バルトリン管膿瘍造袋術は、通常、睡眠麻酔の下に手術室で行われるので、施術時間が長くなる場合が多いため、施術途中で患者が睡眠麻酔から目覚める状況がたまに発生し、これにより患者に更なる睡眠麻酔を行うことにより患者の命が危険な状態になることがある。また、施術途中で患者が動く場合が発生すると、施術が難しくなるしかない。また、施術時に形成した排液孔が施術以後の回復過程で詰まってしまう場合が頻繁であるから、バルトリン管膿瘍が再発することも多く発生する。バルトリン管膿瘍が再発すると、施術および回復に比較的長い時間がかかるバルトリン管膿瘍切除術を行わなければならない。
【発明の概要】
【発明が解決しようとする課題】
【０００５】
本発明の目的は、バルトリン管膿瘍の治療のための施術の面で有利であるうえ、患者の負担を減らすことができる排膿管を提供することにある。
【課題を解決するための手段】
【０００６】
上記目的を達成するために、本発明の実施例によれば、第１端部、第２端部、および前記第１端部と前記第２端部との間の排膿通路を有し、バルトリン管膿瘍の患部に、前記患部を切開した切開部を介して前記第１端部が挿入される導管部材と；前記第１端部側から前記導管部材の外周側へ突出し、前記患部に挿入された導管部材が分離されることを防止する第１翼部材と；前記第２端部側から前記導管部材の外周側へ突出し、前記患部に対する導管部材の挿入深さを制限する第２翼部材と；を含んでなる、排膿管が提供される。
【０００７】
このような本発明の実施例による排膿管は、前記切開部（施術部位）が癒える間には患部から膿などが円滑に排出されるようにし、前記切開部が癒えて施術部位に前記導管部材の外周に対応する排液孔が形成された後には施術部位から除去される。
【０００８】
前記第１翼部材と前記第２翼部材は、前記導管部材の外周方向に沿って設けられ、枠構造を有することができる。
【０００９】
前記第１翼部材および前記第２翼部材のうちの少なくとも前記第１翼部材は、一定の弾性を有する材質からなることが好ましい。
【００１０】
前記導管部材、前記第１翼部材および前記第２翼部材は一体型であることが好ましい。
【００１１】
本発明の実施例によれば、第１端部、第２端部、および前記第１端部と前記第２端部との間の排膿通路を有し、バルトリン管膿瘍の患部に、前記患部を切開した切開部を介して前記第１端部が挿入される導管部材と；前記第１端部側から前記導管部材の外周側へ突出し、前記患部に挿入された導管部材が分離されることを防止する翼部材と；を含んでなる、排膿管が提供される。
【００１２】
本発明の実施例によれば、第１端部、第２端部、および前記第１端部と前記第２端部との間の排膿通路を有し、バルトリン管膿瘍の患部に、前記患部を切開した切開部を介して前記第１端部が挿入される導管部材と；前記第２端部側から前記導管部材の外周側へ突出し、前記患部に対する導管部材の挿入深さを制限する翼部材と；を含んでなる、排膿管が提供される。
【発明の効果】
【００１３】
本発明の実施例によれば、バルトリン管膿瘍の治療のための施術（造袋術）を簡便かつ迅速に行うことができるので、施術を局所麻酔の下に外来で行うこともできる。そして、手術室で行う場合は、睡眠麻酔時間を短縮して患者の負担を大幅に減らすことができる。
【００１４】
また、バルトリン管膿瘍の患部に施術の際に形成した排液孔が施術後の回服過程で詰まること（施術の失敗）を防止することができるので、バルトリン管膿瘍が再発して切除術を行わなければならない問題の発生を最小化することができる。
【図面の簡単な説明】
【００１５】
【図１】本発明の第１実施例に係る排膿管を示す斜視図である。
【図２】本発明の第１実施例に係る排膿管を示す縦断面図である。
【図３】本発明の第１実施例に係る排膿管を示す横断面図（図２のＡ−Ａ線に沿った断面図）である。
【図４】本発明の第１実施例に係る排膿管を示す使用状態図である。
【図５】本発明の第２実施例に係る排膿管を示す横断面図である。
【図６】本発明の第３実施例に係る排膿管を示す正面図である。
【発明を実施するための形態】
【００１６】
以下、添付図面を参照して本発明の好適な実施例を説明する。
【００１７】
本発明の実施例に係る排膿管は、バルトリン管膿瘍の患部に、施術部位が癒える間には膿瘍から膿などが排出され、施術部位が癒える後にはバルトリン腺からの粘液が排出される出口としての排液孔を形成する施術（造袋術）に利用されるものである。
【００１８】
本発明の第１実施例に係る排膿管が図１〜図４に示されている。
【００１９】
図１〜図４に示すように、本発明の第１実施例に係る排膿管は、一定の長さを有する円形の管状の導管部材１０、導管部材１０の両端側にそれぞれ配置された第１翼部材２０および第２翼部材３０を含む。
【００２０】
導管部材１０は、導管部材１０の開放された両端部分をそれぞれ構成する第１端部１２および第２端部１４と、導管部材１０の内部で第１端部１２と第２端部１４との間に配置された排膿通路１６とを有する。排膿通路１６は第１端部１２と第２端部１４とを空間的に接続させる。
【００２１】
導管部材１０は、バルトリン管膿瘍の患部２を切開した切開部４を介して患部２に第１端部１２が挿入されることにより、施術部位たる切開部４が癒える間に、第１端部１２を介しては患部２からの膿などを排膿通路１６に流入させ、第２端部１４を介しては排膿通路１６に流入した膿などを排出する。
【００２２】
第１翼部材２０は、導管部材１０の第１端部１２側の外周にこの外周方向に沿って設けられ、円形の枠構造を有する。このような第１翼部材２０は、患部２に導管部材１０の第１端部１２と一緒に挿入され、患部２に挿入された導管部材１０が患部２から分離されることを防止する。
【００２３】
第２翼部材２０は、導管部材１０の第２端部１４側の外周にこの外周方向に沿って設けられ、円形の枠構造を有する。すなわち、第１翼部材２０と同一または類似する形状に形成されるのである。このような第２翼部材２０が患部２に対する導管部材１０の挿入深さを制限することにより、患部２に挿入された導管部材１０は第２端部１４が患部２の外部に晒された状態で維持される。
【００２４】
導管部材１０、第１翼部材２０および第２翼部材３０は、一体型に形成することが好ましい。また、導管部材１０、第１翼部材２０および第２翼部材３０は、一定の弾性を有する医療用シリコーンまたは合成樹脂で製造することが好ましい。
【００２５】
本発明の第１実施例に係る排膿管を利用するバルトリン管膿瘍治療施術は、次のとおり行うことができる。
【００２６】
まず、患部２の外壁を切開して患部２に排膿管を挿入するための切開部４を形成する。
【００２７】
その次、患部２に切開部４を介して導管部材１０の第１端部１２と一緒に第１翼部材２０を挿入する。
【００２８】
ここでは、施術者は、第１翼部材２０が一定の弾性を有するので、第１翼部材２０を患部２に一層容易に挿入することができる。一例として、第１翼部材２０の形状が第１翼部材２０の患部２への挿入過程で自然に変形することにより、患部２に第１翼部材２０を容易に進入させることができるのである。他の例として、施術者が第１翼部材２０の形状を意図的に適切に変形させながら第１翼部材２０を患部２に進入させることもできるのである。
【００２９】
また、患部２に排膿管が過度に進入して導管部材１０の第２端部１４まで挿入されることを第２翼部材３０の係止作用によって防止することができる。また、患部２に挿入された排膿管が患部２から分離されることを第１翼部材２０の係止作用によって防止することができる。
【００３０】
その後、施術部位である切開部４が癒えるまで待ち、施術部位が癒えて施術部位に導管部材１０の外周に対応する排液孔６が形成されると、挿入された排膿管を施術部位から除去する。
【００３１】
ここで、施術部位が癒える期間の間には、膿瘍からの膿などが導管部材１０を介して排出される。そして、切開部４が全体的にくっ付くことが導管部材１０によって根本的に防止されることにより、排液孔６を確実に形成することができる。
【００３２】
図５は本発明の第２実施例に係る排膿管を示す横断面図である。図５に示すように、本発明の第２実施例に係る排膿管は、導管部材１０、第１翼部材２０および第２翼部材３０の横断面が円形ではなく楕円形に形成されることを例示する。
【００３３】
図６は本発明の第３実施例に係る排膿管を示す正面図である。図６に示すように、本発明の第２実施例に係る排膿管は、第１翼部材２０Ａと第２翼部材３０Ａがそれぞれ導管部材１０の外周方向に沿って互いに離隔するように間隔を置いて配置された複数の単位翼で構成できることを例示する。
【００３４】
以上、本発明を説明したが、本発明は、この明細書に開示された実施例および添付図面によって限定されず、本発明の技術思想を逸脱することなく通常の技術者によって多様に変形できる。
【００３５】
たとえば、患部２に導管部材１０の第１端部１２が挿入され、第２端部１４が患部２の外部に晒されると上述したが、患部２には第２端部１４が挿入されてもよい。
【符号の説明】
【００３６】
１０    導管部材
１２    第１端部
１４    第２端部
１６    排膿通路
２０    第１翼部材
３０    第２翼部材
【図１】
2016013436.tif 000003
【図２】
2016013436.tif 000004
【図３】
2016013436.tif 000005
【図４】
2016013436.tif 000006
【図５】
2016013436.tif 000007
【図６】
2016013436.tif 000008